【手続補正書】
【提出日】平成18年12月18日(2006.12.18)
【手続補正１】
【補正対象書類名】明細書
【補正対象項目名】発明の名称
【補正方法】変更
【補正の内容】
【発明の名称】周辺機器、情報処理方法及び記憶媒体
【手続補正２】
【補正対象書類名】明細書
【補正対象項目名】特許請求の範囲
【補正方法】変更
【補正の内容】
【特許請求の範囲】
【請求項１】  情報処理装置と通信可能で、且つ、ジョブを実行する周辺機器における情報処理方法において、
前記情報処理装置から送信された手続きを解釈する手続き解釈ステップと、
前記手続き解釈ステップによる手続きの解釈に従ってジョブを生成するジョブ生成ステップと、
ジョブを構成する情報を管理するジョブ管理ステップと、
バインダを構成する情報を管理するバインダ管理ステップと、
ドキュメントを構成する情報を管理するドキュメント管理ステップと、
前記ジョブ生成ステップにより生成されたジョブを処理するジョブ処理ステップと、
前記ジョブ生成ステップにより生成されたジョブをドキュメント単位に分割してドキュメントを生成するドキュメント生成ステップと、
前記ドキュメント生成ステップにより生成されたドキュメントを処理するドキュメント処理ステップと、
前記ドキュメント生成ステップにより生成されたドキュメントをページ単位に分割してページを生成するページ生成ステップと、
前記ページ生成ステップにより生成されたページを処理するページ処理ステップと、
前記ページ生成ステップにより生成されたページをバンド単位に分割してバンドを生成するバンド生成ステップと、
前記バンド生成ステップにより生成されたバンドを処理するバンド処理ステップと、
前記ドキュメント生成ステップと前記ドキュメント処理ステップと前記ページ処理ステップと前記バンド処理ステップとからのデバイスの使用要求を調停するデバイス使用要求調停ステップとを有し、
前記ドキュメント処理ステップ、前記ページ処理ステップ及び前記バンド処理ステップにおける入力データのフォーマットと出力データのフォーマットとに応じて、前記ドキュメント処理ステップ、前記ページ処理ステップ及び前記バンド処理ステップの少なくとも１つが処理を行うことを特徴とする情報処理方法。
【請求項２】  情報処理装置と通信可能で、且つ、ジョブを実行する周辺機器であって、
前記情報処理装置から送信された手続きを解釈する手続き解釈手段と、
前記手続き解釈手段による手続きの解釈に従ってジョブを生成するジョブ生成手段と、
ジョブを構成する情報を管理するジョブ管理手段と、
バインダを構成する情報を管理するバインダ管理手段と、
ドキュメントを構成する情報を管理するドキュメント管理手段と、
前記ジョブ生成手段により生成されたジョブを処理するジョブ処理手段と、
前記ジョブ生成手段により生成されたジョブをドキュメント単位に分割してドキュメントを生成するドキュメント生成手段と、
前記ドキュメント生成手段により生成されたドキュメントを処理するドキュメント処理手段と、
前記ドキュメント生成手段により生成されたドキュメントをページ単位に分割してページを生成するページ生成手段と、
前記ページ生成手段により生成されたページを処理するページ処理手段と、
前記ページ生成手段により生成されたページをバンド単位に分割してバンドを生成するバンド生成手段と、
前記バンド生成手段により生成されたバンドを処理するバンド処理手段と、
前記ドキュメント生成手段と前記ドキュメント処理手段と前記ページ処理手段と前記バンド処理手段とからのデバイスの使用要求を調停するデバイス使用要求調停手段とを有し、
前記ドキュメント処理手段、前記ページ処理手段及び前記バンド処理手段における入力データのフォーマットと出力データのフォーマットとに応じて、前記ドキュメント処理手段、前記ページ処理手段及び前記バンド処理手段の少なくとも１つが処理を行うことを特徴とする周辺機器。
【請求項３】  請求項１に記載の情報処理方法をコンピュータに実行させるためのプログラムをコンピュータ可読の形態で記憶した記憶媒体。
【手続補正３】
【補正対象書類名】明細書
【補正対象項目名】０００１
【補正方法】変更
【補正の内容】
【０００１】
【発明の属する技術分野】
本発明は、プリンタ、ファックス（ＦＡＸ）、複写機、デジタル複合機等の周辺機器、及び周辺機器における情報処理方法及び記憶媒体に関する。
【手続補正４】
【補正対象書類名】明細書
【補正対象項目名】０００６
【補正方法】変更
【補正の内容】
【０００６】
本発明は上記従来技術の問題を解決するためになされたものであり、その目的は、少ない労力と時間で新たな機能追加に柔軟に対応することが可能な周辺機器、情報処理方法及び記憶媒体を提供することにある。
【手続補正５】
【補正対象書類名】明細書
【補正対象項目名】０００７
【補正方法】変更
【補正の内容】
【０００７】
【課題を解決するための手段】
上記目的を達成するために本発明の請求項１の情報処理方法は、情報処理装置と通信可能で、且つ、ジョブを実行する周辺機器における情報処理方法において、前記情報処理装置から送信された手続きを解釈する手続き解釈ステップと、前記手続き解釈ステップによる手続きの解釈に従ってジョブを生成するジョブ生成ステップと、ジョブを構成する情報を管理するジョブ管理ステップと、バインダを構成する情報を管理するバインダ管理ステップと、ドキュメントを構成する情報を管理するドキュメント管理ステップと、前記ジョブ生成ステップにより生成されたジョブを処理するジョブ処理ステップと、前記ジョブ生成ステップにより生成されたジョブをドキュメント単位に分割してドキュメントを生成するドキュメント生成ステップと、前記ドキュメント生成ステップにより生成されたドキュメントを処理するドキュメント処理ステップと、前記ドキュメント生成ステップにより生成されたドキュメントをページ単位に分割してページを生成するページ生成ステップと、前記ページ生成ステップにより生成されたページを処理するページ処理ステップと、前記ページ生成ステップにより生成されたページをバンド単位に分割してバンドを生成するバンド生成ステップと、前記バンド生成ステップにより生成されたバンドを処理するバンド処理ステップと、前記ドキュメント生成ステップと前記ドキュメント処理ステップと前記ページ処理ステップと前記バンド処理ステップとからのデバイスの使用要求を調停するデバイス使用要求調停ステップとを有し、前記ドキュメント処理ステップ、前記ページ処理ステップ及び前記バンド処理ステップにおける入力データのフォーマットと出力データのフォーマットとに応じて、前記ドキュメント処理ステップ、前記ページ処理ステップ及び前記バンド処理ステップの少なくとも１つが処理を行うことを特徴とする。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正２５】
【補正対象書類名】明細書
【補正対象項目名】００２７
【補正方法】削除
【補正の内容】
【手続補正２６】
【補正対象書類名】明細書
【補正対象項目名】００２８
【補正方法】削除
【補正の内容】
【手続補正２７】
【補正対象書類名】明細書
【補正対象項目名】００２９
【補正方法】削除
【補正の内容】
【手続補正２８】
【補正対象書類名】明細書
【補正対象項目名】００３０
【補正方法】削除
【補正の内容】
【手続補正２９】
【補正対象書類名】明細書
【補正対象項目名】００３１
【補正方法】削除
【補正の内容】
【手続補正３０】
【補正対象書類名】明細書
【補正対象項目名】００３２
【補正方法】削除
【補正の内容】
【手続補正３１】
【補正対象書類名】明細書
【補正対象項目名】００３３
【補正方法】削除
【補正の内容】
【手続補正３２】
【補正対象書類名】明細書
【補正対象項目名】００３４
【補正方法】削除
【補正の内容】
【手続補正３３】
【補正対象書類名】明細書
【補正対象項目名】００３５
【補正方法】削除
【補正の内容】
【手続補正３４】
【補正対象書類名】明細書
【補正対象項目名】００３６
【補正方法】削除
【補正の内容】
【手続補正３５】
【補正対象書類名】明細書
【補正対象項目名】００３７
【補正方法】削除
【補正の内容】
【手続補正３６】
【補正対象書類名】明細書
【補正対象項目名】００３８
【補正方法】削除
【補正の内容】
【手続補正３７】
【補正対象書類名】明細書
【補正対象項目名】００３９
【補正方法】削除
【補正の内容】
【手続補正３８】
【補正対象書類名】明細書
【補正対象項目名】００４０
【補正方法】削除
【補正の内容】
【手続補正３９】
【補正対象書類名】明細書
【補正対象項目名】００４１
【補正方法】削除
【補正の内容】
【手続補正４０】
【補正対象書類名】明細書
【補正対象項目名】００４２
【補正方法】削除
【補正の内容】
【手続補正４１】
【補正対象書類名】明細書
【補正対象項目名】００４３
【補正方法】削除
【補正の内容】
【手続補正４２】
【補正対象書類名】明細書
【補正対象項目名】００４４
【補正方法】削除
【補正の内容】
【手続補正４３】
【補正対象書類名】明細書
【補正対象項目名】００４５
【補正方法】削除
【補正の内容】
【手続補正４４】
【補正対象書類名】明細書
【補正対象項目名】００４６
【補正方法】削除
【補正の内容】
【手続補正４５】
【補正対象書類名】明細書
【補正対象項目名】００４７
【補正方法】削除
【補正の内容】
【手続補正４６】
【補正対象書類名】明細書
【補正対象項目名】００４８
【補正方法】削除
【補正の内容】
【手続補正４７】
【補正対象書類名】明細書
【補正対象項目名】００４９
【補正方法】削除
【補正の内容】
【手続補正４８】
【補正対象書類名】明細書
【補正対象項目名】００５０
【補正方法】削除
【補正の内容】
【手続補正４９】
【補正対象書類名】明細書
【補正対象項目名】００５１
【補正方法】削除
【補正の内容】
【手続補正５０】
【補正対象書類名】明細書
【補正対象項目名】００５２
【補正方法】削除
【補正の内容】
【手続補正５１】
【補正対象書類名】明細書
【補正対象項目名】００５３
【補正方法】削除
【補正の内容】